【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
流体管の分岐管部に接続されている流体機器又は分岐管を、流体管での流体輸送を維持したまま更新する流体配管系の流体機器・分岐管更新方法であって、以下の１）〜３）のステップを備えていることを特徴とする流体配管系の流体機器・分岐管更新方法。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記穿孔装置の先端穿孔具を第１開閉弁よりも下流側に引き出し、前記第１開閉弁を閉弁した状態で穿孔装置を撤去したのち、前記第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで流路を閉塞する。３）前記分岐管部に接続されている旧の流体機器又は分岐管を撤去したのち、この分岐管部に新たな流体機器又は分岐管を連結するとともに、前記閉塞装置の閉塞手段を第１開閉弁よりも下流側に引き出したのち、第１開閉弁を閉弁した状態で閉塞装置を撤去する。
【請求項２】
流体管の直線状の分岐管部に接続されている流体機器又は分岐管を、流体管での流体輸送を維持したまま更新する流体配管系の流体機器・分岐管更新方法であって、以下の１）〜５）のステップを備えていることを特徴とする流体配管系の流体機器・分岐管更新方法。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記穿孔装置の先端穿孔具を第１開閉弁よりも下流側に引き出し、前記第１開閉弁を閉弁した状態で穿孔装置を撤去したのち、第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで流路を閉塞する。
３）前記分岐管部に接続されている旧の流体機器又は分岐管を撤去したのち、この分岐管部に第２開閉弁を連結するとともに、前記閉塞装置の閉塞手段を第１開閉弁よりも下流側に引き出したのち、第１開閉弁を閉弁した状態で閉塞装置を撤去する。
４）前記分岐管部側の第２開閉弁に閉塞装置を連結し、この閉塞装置の閉塞手段を、第２開閉弁と分岐管部及び管壁の挿入口を通して作業用管部内の流路閉塞位置に送り込んで流路を閉塞したのち、作業用管部から第１開閉弁を撤去する。
５）次に、前記作業用管部にそれの端部開口を密閉する蓋体を連結するとともに、前記閉塞装置の閉塞手段を第２開閉弁よりも下流側に引き出し、分岐管部側の第２開閉弁を閉弁した状態で閉塞装置を撤去するとともに、この第２開閉弁に新たな流体機器又は分岐管を連結する。
【請求項３】
前記作業用管部には、流体管の管壁外周面に固着される当て板部が連設されている請求項１又は２記載の流体配管系の流体機器・分岐管更新方法。
【請求項４】
前記作業用管部には、流体管の管壁外周面に対して径方向の一側方から当て付けられる弧状取付け板が連設されているとともに、前記弧状取付け板を流体管の管壁外周面に締付け固定する締結手段が設けられている請求項１〜３のいずれか１項に記載の流体配管系の流体機器・分岐管更新方法。
【手続補正２】
【補正対象書類名】明細書
【補正対象項目名】発明の名称
【補正方法】変更
【補正の内容】
【発明の名称】流体配管系の流体機器・分岐管更新方法
【手続補正３】
【補正対象書類名】明細書
【補正対象項目名】０００１
【補正方法】変更
【補正の内容】
【０００１】
本発明は、水道管等の流体管の分岐管部に接続されている空気弁や消火栓等の流体機器又は分岐管を流体管での流体輸送を維持したまま更新する流体配管系の流体機器・分岐管更新方法に関する。
【手続補正４】
【補正対象書類名】明細書
【補正対象項目名】００１１
【補正方法】変更
【補正の内容】
【００１１】
本発明は、上述の実状に鑑みて為されたものであって、第１の主たる課題は、例え、分岐管部と流体機器との間に開閉弁が介装されていない状況下でも、或いは、流体管の分岐管部が屈曲又は湾曲している条件下においても、分岐管部に接続されている流体機器又は分岐管の更新作業を漏水の無い状態で能率良く確実、容易に行うことのできる流体配管系の流体機器・分岐管更新方法を提供する点にある。
【手続補正５】
【補正対象書類名】明細書
【補正対象項目名】００１６
【補正方法】変更
【補正の内容】
【００１６】
本発明による第２の特徴構成は、流体管の直線状の分岐管部に接続されている流体機器又は分岐管を、流体管での流体輸送を維持したまま更新する流体配管系の流体機器・分岐管更新方法であって、以下の１）〜５）のステップを備えていることにある。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記穿孔装置の先端穿孔具を第１開閉弁よりも下流側に引き出し、前記第１開閉弁を閉弁した状態で穿孔装置を撤去したのち、第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで流路を閉塞する。
３）前記分岐管部に接続されている旧の流体機器又は分岐管を撤去したのち、この分岐管部に第２開閉弁を連結するとともに、前記閉塞装置の閉塞手段を第１開閉弁よりも下流側に引き出したのち、第１開閉弁を閉弁した状態で閉塞装置を撤去する。
４）前記分岐管部側の第２開閉弁に閉塞装置を連結し、この閉塞装置の閉塞手段を、第２開閉弁と分岐管部及び管壁の挿入口を通して作業用管部内の流路閉塞位置に送り込んで流路を閉塞したのち、作業用管部から第１開閉弁を撤去する。
５）次に、前記作業用管部にそれの端部開口を密閉する蓋体を連結するとともに、前記閉塞装置の閉塞手段を第２開閉弁よりも下流側に引き出し、分岐管部側の第２開閉弁を閉弁した状態で閉塞装置を撤去するとともに、この第２開閉弁に新たな流体機器又は分岐管を連結する。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】